(57)【要約】【課題】空調装置の吹出し口近傍に配置される既存の部品を改良して、吹出し口から吹出す風を所望のエリアに導く車両用電装品の取付構造を提供する。【解決手段】車両用電装品の取付構造は、空調装置から送られる風を車室内に吹出す吹出し口の近傍に配設したコントローラと、このコントローラを保護するコントローラカバー２とから構成されている。このコントローラカバー２の吹出し口側端部である右壁２０と後壁２１とを湾曲部２２で接続すると共に、吹出し口側端部２０に、斜下方に傾斜する傾斜部２０ａを形成する。吹出し口の近傍に固定したコントローラにコントローラカバー２を装着すると、吹出し口から吹出す風は、コントローラカバー２に形成したガイド部である湾曲部２２及び傾斜部２０ａに沿って流れ、乗員の足元や膝等を置く周辺部位の空調効果を向上させることができる。【選択図】　　　　図４
2004142548.tif 000002
【特許請求の範囲】
【請求項１】
空調装置から送られる風を車室内に吹出す吹出し口の近傍に配設したコントローラと、このコントローラを保護するコントローラカバーとを備える車両用電装品の取付構造において、
前記吹出し口の近傍に、前記コントローラカバーを装着した前記コントローラを固定すると共に、前記コントローラカバーの吹出し口側端部に、前記吹出し口から吹出す風を、所望の位置に導くガイド部を形成することを特徴とする車両用電装品の取付構造。
【請求項２】
前記ガイド部は、前記コントローラカバーの吹出し口側端部と隣接する端部とを接続する湾曲部であることを特徴とする請求項１に記載の車両用電装品の取付構造。
【請求項３】
前記ガイド部は、前記コントローラカバーの吹出し口側端部に形成した斜下方に傾斜する傾斜部であることを特徴とする請求項１または２に記載の車両用電装品の取付構造。
【発明の詳細な説明】
【０００１】
【発明の属する技術分野】
本発明は、車両用電装品の取付構造、特に、車両に設けた空調装置の吹出し口から吹出す風を、所定のエリアに導く車両用電装品の取付構造に関するものである。
【０００２】
【従来の技術】
車室内において乗員の足元に、各種搭載機器の制御を自動的に行うコントローラが配置される場合には、このコントローラを保護するようにコントローラカバーが装着されている。そこで、従来、空調装置から送られる風を車室内に吹出す吹出し口が配置され、この吹出し口の近傍にコントローラカバーを装着したコントローラが固定されると、コントローラカバーが吹出し口から吹出す風の流れの妨げとなり、吹出し口から吹出す風を所定のエリアに送風できない不具合があった。
この不具合の対策の一つとして、吹出し口から吹出す風がコントローラカバーと干渉しないように所定のエリアに案内するダクトを形成し、このダクトを吹出し口に連通させて、吹出し口から吹出す風をダクトを介して所定のエリアに送風させることも考慮される。
【０００３】
また、特許文献１には、車両の前席乗員膝部近傍に指向する開口を有した空調用ダクト装置において、インストルメントパネルの下方に配置され一体に成形された樹脂製の本体とこの本体に連続して形成されたダクト部とからなり、このダクト部と本体とで囲まれる空調用の通路を形成するアンダカバーを備えたダクト装置が開示されている。
さらに、特許文献２には、エンジンルーム内に装備されたゼネレータの冷却用ファンに、所定方向に排風を指向させるカバーを設けたエンジンルームの換気装置が開示されている。
【０００４】
【特許文献１】
実開平２−１００１０号公報
【特許文献２】
実開昭６０−１２５３１８号公報
【０００５】
【発明が解決しようとする課題】
上述したように、車室内に空調装置の吹出し口が配置され、この吹出し口の近傍に、コントローラカバーを装着したコントローラが固定される場合、吹出し口から吹出す風が、コントローラカバーに干渉してしまい、所望のエリアに送風されない不具合があった。そのため、吹出し口から吹出す風を吹出し口に連通するダクトを介して所定のエリアに送風させることが考慮されるが、このダクトが別部品として構成されるため、部品調達や組立等に必要な費用が増大する虞があった。
【０００６】
また、特許文献１のダクト装置は、アンダカバーに設けられた複数の開口から例えば温風を吐出して車室内を暖房しているが、温風の吐出方向が一方向に限定されるため、所定の空間全域の暖房効果が損なわれる虞がある。
さらに、特許文献２のエンジンルームの換気装置は、冷却ファンから放射状に拡散される排風に指向性をもたせるために、ファンの周りにカバーを設けたものであるが、このカバーを新規に製造する必要があり、コストアップの要因となる。
【０００７】
本発明は、かかる点に鑑みてなされたものであり、空調装置の吹出し口近傍に配置される既存の部品を改良して、吹出し口から吹出す風を所望のエリアに導く車両用電装品の取付構造を提供することを目的とする。
【０００８】
【課題を解決するための手段】
本発明は、上記課題を解決するための手段として、請求項１に記載した発明は、空調装置から送られる風を車室内に吹出す吹出し口の近傍に配設したコントローラと、このコントローラを保護するコントローラカバーとを備える車両用電装品の取付構造において、前記吹出し口の近傍に、前記コントローラカバーを装着した前記コントローラを固定すると共に、前記コントローラカバーの吹出し口側端部に、前記吹出し口から吹出す風を、所望の位置に導くガイド部を形成することを特徴とするものである。
このように構成することにより、吹出し口から吹出す風に指向性を持たせることができ、吹出し口から吹出す風は、コントローラカバーの吹出し口側端部に形成したガイド部に沿って流れ、所望のエリアに送風される。
【０００９】
請求項２に記載した発明は、請求項１に記載した発明において、前記ガイド部は、前記コントローラカバーの吹出し口側端部と隣接する端部とを接続する湾曲部であることを特徴とするものである。
このように構成することにより、吹出し口から吹出す風は、コントローラカバーによりその流路が妨げられることなく、コントローラカバーの吹出し口側端部に形成したガイド部である湾曲部に沿って流れ、乗員が足を挿入する空間のほぼ中央に向かって送風される。
【００１０】
請求項３に記載した発明は、請求項１または２に記載した発明において、前記ガイド部は、前記コントローラカバーの吹出し口側端部に形成した斜下方に傾斜する傾斜部であることを特徴とするものである。
このように構成することにより、吹出し口から吹出す風は、コントローラカバーによりその流路が妨げられることなく、コントローラカバーの吹出し口側端部に形成したガイド部である傾斜部に沿って流れ、乗員が足を挿入する空間のほぼ中央に向かって送風される。
【００１１】
【発明の実施の形態】
以下、本発明の実施の形態に係る車両用電装品の取付構造を図１〜図４に基いて詳細に説明する。尚、図に示される前方とは、車両進行方向を示している。
本発明の実施の形態に係る車両用電装品の取付構造は、図１〜図３に示すように、図示しない空調装置から送られる風を車室内に吹出す吹出し口３の近傍に配設されたコントローラ１（例えばＥＰＩ：エンジンコントローラ）と、このコントローラ１を保護するコントローラカバー２とから概略構成されている。
コントローラ１は、図１に示すように、略四角形箱状からなり、その後方側には、コントローラカバー２と装着する取付フランジ１０を２個、及び前方側には、上部車体５１に固定する取付フランジ１３を１個形成している。また、左方側には、ブロアモータ５に装着する取付フランジ１２、及び右方側には、取付ブラケット１４を介して右方車体５０に固定する取付ブラケット１１をそれぞれ１個形成している。これらの取付フランジ１０〜１３には、各取付ボルト１５〜１８が挿通する挿通孔１０ａ〜１３ａをそれぞれ形成している。
【００１２】
コントローラカバー２は、図１及び図４に示すように、コントローラ１の両側面、下面及び後面を被包するように、前壁及び上壁を開放した有底箱形状に形成されている。図４（ａ）に示すように、上面視において、この箱形を形成する右壁（吹出し口側端部）２０と、この右壁２０に隣接する後壁２１とは、所定の曲率で湾曲する滑らかな湾曲部（ガイド部）２２で接続されている。また、この後壁２１は、上端から前方に向かって斜下方に、略直線状に傾斜して底壁２３と接続している。
図４（ｂ）に示すように、側面視において、右壁２０には、上端から左方に向かって斜下方に、所定の角度で傾斜する略直線状の傾斜部（ガイド部）２０ａを形成しており、この傾斜部２０ａが底壁２３に接続している。この底壁２３には、コントローラ１の取付フランジ１０の挿通孔１０ａと連通する挿通孔２３ａが２個形成されている。
そして、図１に示すように、コントローラ１とコントローラカバー２とは、コントローラ１の下面をコントローラカバー２で覆うように、コントローラ１に設けた取付フランジ１０の挿通孔１０ａと、コントローラカバー２の底壁２３に設けた挿通孔２３ａとを連通させて取付ボルト１５で固定している。
【００１３】
次に、車室内に取付けられるコントローラ及びコントローラカバーと、空調装置から送られる風を車室内に吹出す吹出し口との位置関係を図１〜図３に基いて説明する。
ここで、図２は、本発明の実施の形態を係る車両用電装品の構成部品であるコントローラとコントローラカバーとが車体に取付いた状態を前方から見た正面図であり、図３は、本発明の実施の形態を係る車両用電装品の構成部品であるコントローラ及びコントローラカバーが車体に取付いた状態を示す上面図である。符号４０は、車室内前方のインストルメントパネルの下方で、通常乗員が足を挿入する空間を示している。また、符号５０及び５１は、右方車体（例えばコンソール）及び上部車体（例えばインストルメントパネル）を示しており、上部車体５１の左方側にブロアモータ５が配置されている。
まず、図示しない空調装置からブロアモータ５を介して送られる風を車室内に吹出す吹出し口（黒塗部分）３は、図２及び図３に示すように、空間４０の右方側に位置する右方車体５０の上部に配置されている。
【００１４】
コントローラ１は、図１に示すように、略Ｌ字状板材の取付ブラケット１４を介して右方車体５０に固定されている。その固定は、コントローラ１の取付フランジ１１と取付ブラケット１４とを当接して、それぞれの挿通孔１１ａ、１４ａに取付ボルト１６を挿通して固定すると共に、取付ブラケット１４の他方の挿通孔１４ｂを右方車体５０に形成された取付部の挿通孔５０ａに連通させて取付ボルト１９で固定している。
また、このコントローラ１は、上部車体５１及びブロアモータ５に固定されており、コントローラ１のそれぞれの取付フランジ１３、１２の挿通孔１３ａ、１２ａを、上部車体５１及びブロアモータ５の各取付部の挿通孔５１ａ、５ａに連通させて取付ボルト１８、１７で固定している。
【００１５】
このようにコントローラ１が車体等に取付けられることにより、図２及び図３に示すように、コントローラ１を保護するコントローラカバー２は、吹出し口３に近接して配設されると共に、図２に示す正面視において、吹出し口３と、コントローラカバー２の吹出し口側端部２０に形成された傾斜部２０ａとが対向するように配置され、且つ、図３に示す上面視において、吹出し口３と、コントローラカバー２に形成された湾曲部２２とが対向するように配置される。
【００１６】
次に、吹出し口から吹出す風の流れについて説明する。
図２に示すように、吹出し口３から吹出す風は、矢印Ａに示すように、コントローラカバー２に形成した傾斜部２０ａに沿って、空間４０のほぼ中央に向かってスムーズに流れる。
また、図３に示すように、吹出し口３から吹出す風は、矢印Ｂに示すように、コントローラカバー２に形成した湾曲部２２に沿って、空間４０のほぼ中央に向かってスムーズに流れる。
このようにして、吹出し口３から吹出す風は、吹出し口３の近傍に位置するコントローラカバー２に干渉することなく、コントローラカバー２の吹出し口側端部２０に形成したガイド部、すなわち傾斜部２０ａ及び湾曲部２２に沿って流れ、乗員の足元や膝等が置かれる空間４０のほぼ中央に向かって流れるようになる。
【００１７】
本発明の実施の形態に係る車両用電装品の取付構造によれば、吹出し口３から吹出す風は、コントローラカバー２によりその流路が妨げられず、コントローラカバー２の吹出し口側端部２０に設けたガイド部、すなわち湾曲部２２及び傾斜部２０ａに沿って流れ、乗員の足元及び膝等に向かって送風される。
また、吹出し口３とコントローラカバー２の吹出し口側端部２０との距離が狭いほど、風の指向性を高めることができる。
さらに、コントローラカバー２に形成した湾曲部２２、及び傾斜部２０ａのそれぞれの曲率半径、及び傾斜角度をそれぞれ任意の値に設定することにより、所望の風向に調整することができる。
【００１８】
なお、以上吹出し口から吹出す風が、斜下方にスムーズに流れるように、コントローラカバーの吹出し口側端部に直線状の傾斜部を形成した形態を説明したが、コントローラカバーの吹出し口側端部と底壁とを、所定の曲率で湾曲する湾曲部で接続してもよい。
【００１９】
【発明の効果】
以上説明したように、本発明の車両用電装品の取付構造によれば、空調装置の吹出し口の近傍に固定されたコントローラを保護するコントローラカバーに、吹出し口から吹出す風に指向性を持たせるガイド部、すなわち湾曲部及び傾斜部を形成したので、吹出し口から吹出す風を、効率良く所望のエリアに送風することができ、ひいては車室内の空調効果を向上することができる。
【図面の簡単な説明】
【図１】図１は、本発明の実施の形態に係る車両用電装品の構成部品を車体側に取付ける状態を示す分解斜視図である。
【図２】図２は、本発明の実施の形態に係る車両用電装品の構成部品であるコントローラ及びコントローラカバーが車体に取付いた状態を示す正面図である。
【図３】図３は、本発明の実施の形態に係る車両用電装品の構成部品であるコントローラ及びコントローラカバーが車体に取付いた状態を示す上面図である。
【図４】図４は、本発明の実施の形態に係る車両用電装品の取付構造の構成部品であるコントローラカバーを示す図であり、（ａ）は平面図、（ｂ）は側面図である。
【符号の説明】
１　　　　　コントローラ
２　　　　　コントローラカバー
３　　　　　吹出し口
２０　　　　右壁（吹出し口側端部）
２０ａ　　　傾斜部（ガイド部）
２２　　　　湾曲部（ガイド部）
４０　　　　空間
【図１】
2004142548.tif 000003
【図２】
2004142548.tif 000004
【図３】
2004142548.tif 000005
【図４】
2004142548.tif 000006